(57)【要約】【課題】領収書発行機能が付加されてなる課金式インターネット端末およびその利用システムを提供する。【解決手段】報処理部２１と、作動制御部２２と、遠隔操作媒介部２３と、硬貨計数機２４と、入出力機器２６とを備え、情報処理部２１は、マスタドライブ３０と利用者ドライブ４０とを有し、利用者ドライブ４０は、領収書の発行処理をなす領収書発行処理部４４を含むものとされ、利用者の指定した特定端末３に領収書データを送信するものである。【選択図】図１
2010033304.tif 000002
【特許請求の範囲】
【請求項１】
課金式インターネット端末であって、
前記課金式インターネット端末は、情報処理部と、作動制御部と、遠隔操作媒介部と、硬貨計数機と、入出力機器とを備え、
前記情報処理部は、マスタドライブと利用者ドライブとを有し、
前記利用者ドライブは、領収書の発行処理をなす領収書発行処理部を含むものとされてなることを特徴とする課金式インターネット端末。
【請求項２】
紙幣読取機を備えてなることを特徴する請求項１記載の課金式インターネット端末。
【請求項３】
領収書発行処理部による領収書発行処理がなされている間、硬貨および／または紙幣の投入が不能とされてなることを特徴とする請求項１または２記載の課金式インターネット端末。
【請求項４】
領収書発行処理部による領収書発行処理がなされている間、課金管理部によるタイマのカウントダウンが中断されるようにされてなることを特徴とする請求項１または２記載の課金式インターネット端末。
【請求項５】
課金式インターネット端末と、特定端末とがインターネットを介して接続可能とされてなるシステムであって、
前記課金式インターネット端末は、請求項１ないし請求項４のいずれか一項に記載の課金式インターネット端末とされ、
前記課金式インターネット端末から前記特定端末に領収書データが送信されるようにされてなる
ことを特徴とするシステム。
【請求項６】
管理装置と、課金式インターネット端末と、特定端末とがインターネットを介して接続可能とされてなるシステムであって、
前記課金式インターネット端末は、請求項１ないし請求項４のいずれか一項に記載の課金式インターネット端末とされ、
前記管理装置は、領収書データ管理部を備え、前記特定端末からの領収書データ送信要求に応じて当該特定端末に要求された領収書データを送信する
ことを特徴とするシステム。
【発明の詳細な説明】
【技術分野】
【０００１】
本発明は課金式インターネット端末およびその利用システムに関する。さらに詳しくは、領収書発行機能が付加されてなる課金式インターネット端末およびその利用システムに関する。
【背景技術】
【０００２】
近年のインターネットの普及にともない、ホテル、空港、駅などに１００円硬貨を投入することによりインターネットが利用できるインターネット端末、いわゆる課金式インターネット端末が設置されるようになってきている。
【０００３】
しかるに、ホテルや空港などは、一般旅行者にも利用されるが、ビジネスマンやビジネスウーマン（以下、ビジネンマンで代表する）による利用が大半である。そして、ビジネスマンによる課金式インターネット端末の利用には、ビジネスのための利用も多い。
【０００４】
そのため、かかる課金式インターネット端末を利用しているビジネスマンから、領収書発行の要請が多くなされるようになってきている。
【０００５】
なお、課金式インターネット端末の一例については、例えば特許文献１に提案がなされている。
【特許文献１】特開２００４−２４０７０２号公報
【発明の開示】
【発明が解決しようとする課題】
【０００６】
本発明はかかる従来技術の課題に鑑みなされたものであって、領収書発行機能が付加されてなる課金式インターネット端末およびその利用システムを提供することを目的としている。
【課題を解決するための手段】
【０００７】
本発明の課金式インターネット端末は、情報処理部と、作動制御部と、遠隔操作媒介部と、硬貨計数機と、入出力機器とを備え、前記情報処理部は、マスタドライブと利用者ドライブとを有し、前記利用者ドライブは、領収書の発行処理をなす領収書発行処理部を含むものとされてなることを特徴とする。
【０００８】
本発明の課金式インターネット端末においては、紙幣読取機を備えてなるのが好ましい。
【０００９】
また、本発明の課金式インターネット端末においては領収書発行処理部による領収書発行処理がなされている間、硬貨および／または紙幣の投入が不能とされてなるのが好ましい。
【００１０】
さらに、本発明の課金式インターネット端末においては、領収書発行処理部による領収書発行処理がなされている間、課金管理部によるタイマのカウントダウンが中断されるようにされてなるのが好ましい。
【００１１】
本発明のシステムの第１形態は、課金式インターネット端末と、特定端末とがインターネットを介して接続可能とされてなるシステムであって、前記課金式インターネット端末から前記特定端末に領収書データが送信されるようにされてなることを特徴とする。
【００１２】
本発明のシステムの第２形態は、管理装置と、課金式インターネット端末と、特定端末とがインターネットを介して接続可能とされてなるシステムであって、前記管理装置は、領収書データ管理部を備え、前記特定端末からの領収書データ送信要求に応じて当該特定端末に要求された領収書データを送信することを特徴とする。
【発明の効果】
【００１３】
本発明によれば、領収書を必要とする利用者に領収書の発行がなし得る。また、領収書の発行は、領収書データを利用者が指定した特定の端末に領収書データを送信することによりなすようにされているので、課金式インターネット端末に領収書の発行に必要な設備を装備する必要がなく、端末の構成の簡素化およびメンテナンスの簡素化が図られるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
図１に、本発明の一実施形態に係る課金式インターネット端末（以下、課金端末という）を利用したシステムを概略図で示す。
【００１６】
システムは、図１に示すように、管理装置１と、課金端末２と、特定端末３とがインターネットＬを介して接続可能とされてなるものとされる。
【００１７】
ここで、管理装置１とは、インターネットＬおよび一般通信回線Ｍなどにより課金端末２の管理をなすとともに、課金端末２により作成された領収書データを管理する機能を有するホストコンピュータなどの処理装置をいう。
【００１８】
課金端末２とは、利用者が１００硬貨、５００円硬貨、紙幣などを投入し、その投入金額に応じた時間インターネットＬが利用できるインターネット端末をいう。
【００１９】
特定端末３とは、課金端末２の利用者から領収書データの送信先として指定されたメールアドレスを有するパソコンなどのインターネット端末をいう。
【００２０】
以下、図を参照しながら各構成要素について説明する。
【００２１】
管理装置１は、図２に示すように、インターネットＬを介して課金端末２から要求される情報を課金端末２に送信するウェブサーバ部１１と、ウェブメール管理部１２と、課金端末２の状態を監視する状態監視部１３と、課金端末２の売上データや領収書データなどを管理する課金端末データ管理部１４とを備えてなるものとされる。課金端末データ管理部１４に領収書データも管理させるのは、特定端末３において領収書データが損傷したような場合に、特定端末３からの要求により当該特定端末３に領収書データを送信できるようにするためである。
【００２２】
課金端末２は、設置場所における管理者（現場管理者）が不要な無人機械として構成されてなるものであって、空港、駅、ホテルなどの風雨の進入が遮断され、かつある程度以上の人が集まる場所に設置され、前述したように投入金額に応じた時間インターネットＬが利用できるようにされている。
【００２３】
図３に示すように、課金端末２は、より具体的には、情報処理部２１と、作動制御部２２と、遠隔操作媒介部２３と、硬貨計数機２４と、紙幣読取機２５と、入出力機器２６とを備えてなるものとされる。
【００２４】
情報処理部２１は、マスタドライブ３０と、利用者ドライブ４０とを含むものとされる。
【００２５】
マスタドライブ３０は、管理者（システム管理者）にのみ操作可能とされたドライブ、つり利用者に対して隠されたドライブとされ、図４に示すように、マスタオペレーティング部３１と、マスタアプリケーション部３２と、マスタ課金管理部３３と、領収書発行管理部３４と、利用者ドライブ調整処理部３５とを含むものとされる。
【００２６】
ただし、システム管理者が、マスタドライブ３０にアクセスする際にはパスワードの入力が必要とされ、これによりセキュリティの確保が図られている。
【００２７】
利用者ドライブ４０は、マスタドライブ３０の内容に基づいてその内容が生成あるいは複製される、利用者によりアクセスされるドライブとされ、図４に示すように、利用者オペレーティング部４１と、利用者アプリケーション部４２と、利用者課金管理部４３と、領収書発行処理部４４とを含むものとされる。
【００２８】
マスタオペレーティング部３１および利用者オペレーティング部４１は、硬貨計数機２４、紙幣読取機２５および入出力機器２６の制御ならびにインターネットを介した通信の制御を行う機能を有する。ただし、通常の稼働状態では、利用者オペレーティング部４１がこれらの制御を実行する。
【００２９】
また、利用者オペレーティング部４１は、例えば硬貨計数機２４による計数や紙幣読取機２５による読取りが開始された段階で入出力機器２６の操作を有効とするように設定されている。
【００３０】
なお、利用者オペレーティング部４１は、マスタオペレーティング部３１と同様の構成とされるが、システムＫやアプリケーションを破壊するおそれのある機能を実行させるコマンド（例えば、マスタドライブのフォーマットコマンドや利用者ドライブのフォーマットコマンド）などは削除されている。
【００３１】
マスタアプリケーション部３２と利用者アプリケーション部４２とは、図５に示すように同一の構成とされ、ウェブ・ブラウザ（以下、単にブラウザという）６１およびプレイヤ６２といった各種アプリケーションソフトウェアを含むものとされる。
【００３２】
各アプリケーション部３２、４２を構成する各種ソフトウェアは、ブラウザ６１を介して操作されかつ単独では動作しないように設定されている。例えば、プレイヤ６２はブラウザ６１が楽曲、動画映像などの情報を取得することにより、自動的にまたは入出力機器２６のモニタ画面上で所定の操作を行うことにより起動され、ブラウザ６１が終了するとプレイヤ６２も共に終了するように設定されている。
【００３３】
マスタ課金管理部３３および利用者課金管理部４３は、硬貨計数機２４および紙幣読取機２５における投入金額に応じた時間、利用者にインターネットＬを利用させるように利用者アプリケーション部４２の所定のソフトウェア、具体的にはブラウザ６１の起動および終了を制御する。マスタ課金管理部３３および利用者課金管理部４３による時間管理、つまりタイマのカウントダウンは、領収書発行処理部４４による領収書発行処理がなされる場合、その処理の後になされる。
【００３４】
領収書発行管理部３４は、領収書発行ボタンマスタ、領収書送信ボタンマスタ、マスタ領収書入力シート（図６参照）およびマスタ領収書用紙画像データ（図６参照）を有するとともに、領収書発行処理部４４の領収書発行処理により発行された領収書データを保持して管理する機能を有するものとされる。
【００３５】
マスタ領収書入力シートは、図６に示すように、領収書宛名入力欄と、領収書送付メールアドレス欄を有するものとされる。
【００３６】
マスタ領収書用紙画像データは、図６に示すように、領収書宛名入力欄に記入された会会社名が書き込まれるようにされた宛名欄と、投入された金額が記入される金額欄とを有するものとされる。
【００３７】
利用者ドライブ調整処理部３５は、利用者ドライブ４０に不具合が発生した場合、利用者ドライブ４０の内容を一旦消去し、マスタドライブ３０に基づき利用者ドライブ４０を復元する利用者ドライブ調整処理を実行するものとされる。
【００３８】
領収書発行処理部４４は、領収書発行ボタンマスタを複製した領収書発行ボタン、領収書送信ボタンマスタを複製した領収書送信ボタン、マスタ領収書入力シートを複製した領収書入力シートおよびマスタ領収書用紙画像データを複製した領収書用紙画像データを有するとともに、領収書発行処理をなす機能を有するものとされる。なお、領収書発行処理の詳細は後述する。
【００３９】
作動制御部２２はタイマ手段を有し、設定時刻（例えば、朝夕の所定時刻）に課金端末２の起動および停止を行うように、課金端末２の利用状況を監視しつつ課金端末２の電源スイッチを操作する。
【００４０】
遠隔操作媒介部２３は、電気通信回線Ｍを介して管理装置１の状態監視部１３と接続され、課金端末２にフリーズなどの異常が生じた場合、管理装置１に異常内容を通知する信号（以下、異常通知信号という）を送信するとともに、状態監視部１３からの指令にしたがって、異常を解消するよう課金端末２を電源スイッチの操作によりリセットするなどの処置を実施する。
【００４１】
硬貨計数機２４および紙幣読取機２５は、例えばＲＳ−２３２Ｃ（シリアルインタフェース規格）による接続線を介して情報処理部２１と接続され、作動制御部２２により課金端末２が起動されてから停止されるまでの間、図示しない投入口に投入される１００円硬貨の計数や千円札の読取をし、投入金額に対応する信号（以下、投入金額データと称する）をマスタ課金管理部３３、利用者オペレーティング部４０、利用者課金管理部４３および領収書発行処理部４４に送信する。
【００４２】
入出力機器２６は、キーボード、マウス、タッチパネルなどの入力手段と、入力の補助および所定のデータを表示する表示手段（モニタ手段）、例えば液晶表示装置とを含むものとされる。
【００４３】
次に、図７および図８に示すフローチャートを参照しながらシステムＫにおける領収書発行処理について説明する。なお、この処理がなされている間は、ブロッカーが閉鎖されて新たな硬貨等の投入は阻止されて投入金額が確定される。なお、図中、符号Ｓ１−Ｓ１１は、ステップ番号を示す。
【００４４】
ステップ１：硬貨等の投入信号に基づいて、領収書発行処理部４４は、領収書発行ボタンの表示を利用者オペレーティング部４１に指令する。（この指令に基づいて利用者オペレーティング部４１は、利用画面上に領収書発行ボタン（図９参照）を表示する。）
【００４５】
ステップ２：領収書発行ボタンがオンされると、つまり表示されたボタンがマウスによりクリックされるとステップ３に移行し、領収書発行ボタンがオンされないで一定時間が経過すると領収書発行処理を終了する。
【００４６】
ステップ３：領収書発行処理部４４は、領収書入力シートおよび領収書用紙画像の表示を利用者オペレーティング部４１に指令する。（この指令に基づいて利用者オペレーティング部４１は、利用画面上に領収書入力シートおよび領収書用紙画像を表示する。つまり、利用者オペレーティング部４１は、領収書作成ウインドを開く。）
【００４７】
ステップ４：利用者により所定事項が領収書入力シートに入力される。
【００４８】
ステップ５：領収書発行処理部４４は、入力された事項から領収書宛名を抽出し、その抽出した宛名を表示されている領収書用紙画像の所定位置に金額とともに重ねて表示する。つまり、領収書イメージを作成して表示する。
【００４９】
ステップ６：領収書発行処理部４４は、領収書送信ボタンの表示を利用者オペレーティング部４１に指令する。（この指令に基づいて利用者オペレーティング部４１は、領収書イメージ上に領収書送信ボタン（図１０参照）を表示する。つまり、利用者オペレーティング部４１は、領収書送信ウインドを開く。）
【００５０】
ステップ７：領収書送信ボタンの「はい」ボタンがマウスによりクリックされると、ステップ１１に移行し、領収書送信ボタンの「いいえ」ボタンがマウスによりクリックされると、ステップ８に移行する。
【００５１】
ステップ８：領収書発行処理部４４は、領収書入力シートを編集モードとするよう指令する。（この指令に基づいて利用者オペレーティング部４１は、利用画面上の領収書入力シートを編集モードとする。例えば、既に入力されているデータをハイライトさせる。）
【００５２】
ステップ９：一定時間内に編集が終了するとステップ６に移行し、編集が終了しなければ、ステップ１０に移行する。
【００５３】
ステップ１０：所定時間が経過すると、ステップ６に移行する。これにより、操作されないで放置される時間を最小限に抑えることができる。
【００５４】
ステップ１１：領収書データを特定端末３に送信する。
【００５５】
これ以後、利用者はタイムアップするまでインターネットＬを楽しむことができる。
【００５６】
しかして、当該営業日に作成された領収書データは、当該営業日の売上データなどのデータと一緒にその日の営業終了後に管理装置１に送信される。
【００５７】
このように、本実施形態によれば、領収書の発行を希望する利用者に領収書を発行することができる。また、その領収書の発行は、領収書データを利用者が利用している課金端末２から利用者が指定した特定端末３に送信するという形態でなされるので、利用者が領収書を持ち運ぶ必要がなくなり、領収書を持ち歩く煩雑さが解消される。また、課金端末２に領収書用紙およびその印刷装置を設ける必要がないため、課金端末２の構成の簡素化が図られるとともに、メンテナンスの簡素化も図られる。
【００５８】
さらに、管理装置１にも領収書データが保持されているので、特定端末３において領収書データが毀損された場合における対処も容易である。
【産業上の利用可能性】
【００５９】
本発明は、課金式インターネット端末に適用できる。
【図面の簡単な説明】
【００６０】
【図１】本発明の実施形態に係る課金式インターネット端末を備えたシステムの概略図である。
【図２】同システムの管理装置のブロック図である。
【図３】課金式インターネット端末のブロック図である。
【図４】同端末の情報処理部のブロック図である。
【図５】同情報処理部のアプリケーション部のブロック図である。
【図６】領収書入力シートの概略図である。
【図７】同システムの動作を示す流れ図の前半である。
【図８】同システムの動作を示す流れ図の後半である。
【図９】領収書発行指示ウィンドウの概略図である。
【図１０】領収書イメージ上に領収書送信ウィンドウを開いた状態の説明図である。
【符号の説明】
【００６１】
１        管理装置
２        課金端末
３        特定端末
１４        課金端末データ管理部
２１        情報処理部
２２        作動制御部
２３        遠隔操作媒介部
２４        硬貨計数機
２５        紙幣読取機
２６        入出力機器
３０        マスタドライブ
３４        領収書発行管理部
４０        利用者ドライブ
４４        領収書発行処理部
Ｋ        システム
Ｌ        インターネット
Ｍ        電気通信回線
【図１】
2010033304.tif 000003
【図２】
2010033304.tif 000004
【図３】
2010033304.tif 000005
【図４】
2010033304.tif 000006
【図５】
2010033304.tif 000007
【図６】
2010033304.tif 000008
【図７】
2010033304.tif 000009
【図８】
2010033304.tif 000010
【図９】
2010033304.tif 000011
【図１０】
2010033304.tif 000012